(57)【要約】【課題】指先や爪先を傷めることなく誰でもプルタブの引き起こし動作を容易に行うことができるプルトップ式缶の開栓構造を提供する。【解決手段】蓋部材１１に不連続な略ループ状の切り込み１２によって蓋片が形成された被押圧部１３と、蓋部材１１に固定されるプルタブ２０とからなり、プルタブ２０は押圧部２１と指引掛け部２２を備えて支点となるピン２３によって蓋部材１１に固定されており、被押圧部２１にピン２３からプルタブ２０の押圧部２１の方向に向って下方へ傾斜した面を有するガイド部を形成し、プルタブ２０の押圧部２１をガイド面に当接させることによりプルタブ２０の指引掛け部２２が押し上がる。【選択図】図１
0003137912.tif 000002
【実用新案登録請求の範囲】
【請求項１】
蓋部材に不連続な略ループ状の切り込みによって蓋片が形成された被押圧部と、前記蓋部材に固定されるプルタブとからなり、前記プルタブは押圧部と指引掛け部を備えて支点となるピンによって前記蓋部材に固定されており、前記プルタブが引き起こされて前記被押圧部が押し抜かれることにより開栓されるプルトップ式缶の開栓構造において、前記被押圧部に前記ピンから前記プルタブの前記押圧部の方向に向って下方へ傾斜した面を有するガイド部を形成し、開栓の際に前記プルタブの前記押圧部を前記ガイド面に当接させることにより前記プルタブの前記指引掛け部が押し上がり容易に指を引掛けることができることを特徴としたプルトップ式缶の開栓構造。
【請求項２】
蓋部材に不連続な略ループ状の切り込みによって蓋片が形成された被押圧部と、前記蓋部材に固定されるプルタブとからなり、前記プルタブは押圧部と指引掛け部を備えて支点となるピンによって前記蓋部材に固定されており、前記プルタブが引き起こされて前記被押圧部が押し抜かれることにより開栓されるプルトップ式缶の開栓構造において、前記プルトップ式缶の上縁部に切り込み部を形成すると共に前記プルタブの前記指引掛け部の先端部を前記切り込み部まで延長して形成したことを特徴としたプルトップ式缶の開栓構造。
【考案の詳細な説明】
【技術分野】
【０００１】
本考案は、缶の蓋部材に固定されたプルタブによって飲み口が形成されるプルトップ式缶の開栓構造に関する。
【背景技術】
【０００２】
従来のプルトップは、蓋面とプルタブの指引掛け部分との間隔が狭いため、プルタブが引き起こしにくく、また爪が割れたりすることがあり、子供や老人そして女性がプルタブを引き起こすには固すぎたり又は引き起こし難いなどの問題があった。このような問題を解決するため、プルタブの引き起こし動作を容易に行うことを目的とした先行技術が以下のとおり提案されている。
【０００３】
特開２００４−２１０３１８号公報には、プルタブの指引掛け部に容易に指を引掛けて飲み口を形成することができるプルトップ式缶を提供することを目的とし、プルタブに内周側から指を差し込むための指挿通孔とプルタブを引き起こすための指引掛け部とが形成され、該指引掛け部の下方において蓋部材に凹み部が設けられたことを特徴とする「プルトップ式缶」が開示されている（特許文献１）。
【０００４】
上記先行技術によれば、指引掛け部の下方において蓋部材に凹み部が形成されているため、プルタブの指引掛け部に容易に指を引掛けることができる。
【０００５】
また、実開平６−３８２８号公報には、指先や爪を使わずに誰でも容易に開けられるプルトップ式缶類を提供することを目的とし、プルトップリングの下部に指差し入れ溝を設けた「プルトップ式缶類」が開示されている（特許文献２）。
【０００６】
上記先行技術によれば、指の中程でプルトップリングを引き上げられる。
【０００７】
一方、特開平１０−２３６４７５号公報には、開栓操作を容易にできるプルトップを提供することを目的とし、タブの回転軸を缶に対して斜めにしてタブを回転させることによりタブのつまみ部分を持ち上げ、タブのつまみ部分をつまみやすくした「プルトップ」が開示されている（特許文献３）。
【０００８】
上記先行技術によれば、開栓操作が簡単であり、タブがつまみやすく起こしやすいため、誰にでも容易に開栓することができる。
【０００９】
また、特開２００４−２３１２８７号公報には、指先、爪先を傷めることがなく、開缶することができるプルトップ構造を提供することを目的とし、缶の軸を基点とした開口部の反対面に突起部を設け、プルトップタブの先端の指かけ部に指あて部を設け、指あて部に指先をかけて滑らかな隆起した突起部の方向に回軸をすると、タブの指かけ部中間部は、突起部の上に浮上し、タブの先端は大きく離れる「プルトップ構造」が開示されている（特許文献４）。
【００１０】
上記先行技術によれば、タブの指あて部に指先をかけ、滑らかに隆起した突起部へ回転をすることで天板との間隔が大きくなり、指先、爪先を傷めることなく安全に開缶ができる。
【００１１】
さらに、特開２００１−１３０５６０号公報には、缶の上蓋に固定されたプルトップが、そのプルトップを横断する屈曲部を境に折り曲げられ、プルトップのリングと缶の上蓋との間には、所定の隙間が形成されている「プルトップ付き缶」が開示されている（特許文献５）。
【００１２】
上記先行技術によれば、プルトップのリングと缶の上蓋との間に隙間があるので、指先をかけて引き上げ易い。
【００１３】
【特許文献１】特開２００４−２１０３１８号公報
【特許文献２】実開平６−３８２８号公報
【特許文献３】特開平１０−２３６４７５号公報
【特許文献４】特開２００４−２３１２８７号公報
【特許文献５】特開２００１−１３０５６０号公報
【考案の開示】
【考案が解決しようとする課題】
【００１４】
本考案は、上記の先行技術とは相違する構造を採用することにより、指先や爪先を傷めることなく誰でもプルタブの引き起こし動作を容易に行うことができるプルトップ式缶の開栓構造を提供することを目的とする。
【課題を解決するための手段】
【００１５】
上記課題を解決するために、請求項１に記載の考案は、蓋部材に不連続な略ループ状の切り込みによって蓋片が形成された被押圧部と、前記蓋部材に固定されるプルタブとからなり、前記プルタブは押圧部と指引掛け部を備えて支点となるピンによって前記蓋部材に固定されており、前記プルタブが引き起こされて前記被押圧部が押し抜かれることにより開栓されるプルトップ式缶の開栓構造において、前記被押圧部に前記ピンから前記プルタブの前記押圧部の方向に向って下方へ傾斜した面を有するガイド部を形成し、開栓の際に前記プルタブの前記押圧部を前記ガイド面に当接させることにより前記プルタブの前記指引掛け部が押し上がり容易に指を引掛けることができることを特徴とした構成を採用したのである。
【００１６】
また、請求項２に記載の考案は、蓋部材に不連続な略ループ状の切り込みによって蓋片が形成された被押圧部と、前記蓋部材に固定されるプルタブとからなり、前記プルタブは押圧部と指引掛け部を備えて支点となるピンによって前記蓋部材に固定されており、前記プルタブが引き起こされて前記被押圧部が押し抜かれることにより開栓されるプルトップ式缶の開栓構造において、前記プルトップ式缶の上縁部に切り込み部を形成すると共に前記プルタブの前記指引掛け部の先端部を前記切り込み部まで延長して形成したことを特徴とした構成を採用したのである。
【考案の効果】
【００１７】
以上のように、請求項１に記載の考案によれば、開栓操作の前段階としてプルタブの押圧部に指先等を押し当てて下方へ傾斜したガイド面まで下げるだけで、プルタブの指引掛け部が押し上がるので、プルタブに指を引掛け易くなり、指先や爪先を傷めることなく誰でも容易に開栓することができる。
【００１８】
また、請求項２に記載の考案によれば、プルタブの指引掛け部の先端部をプルトップ式缶の上縁部の切り込み部まで延長して形成したので、プルタブに指を引掛け易くなり、指先や爪先を傷めることなく誰でも容易に開栓することができる。
【考案を実施するための最良の形態】
【００１９】
以下、本考案の実施形態について、図面を参酌しながら説明する。本考案のプルトップ式缶は、蓋部材にプルタブが固定され、該プルタブが引き起こされ蓋片が押し抜かれることにより開栓する構造を有するものである。
【００２０】
図１は、本考案の第１実施例にかかるプルトップ式缶の開栓構造を示す平面図である。プルトップ式缶１０は、蓋部材１１に不連続な略ループ状の切り込み１２によって蓋片が形成された被押圧部１３と、蓋部材１１に固定されるプルタブ２０とからなる。プルタブ２０は、押圧部２１と指引掛け部２２を備えて支点となるピン２３によって蓋部材１１に固定されている。切り込み１２によって囲まれた被押圧部１３は、蓋部材１１の中央部付近にピン２３によって固定されたプルタブ２０の指引掛け部２２が上方へ引き起こされることにより押圧部２１によって下方へと押圧され、これにより切り込み１２が破断して蓋部材１１の下面側へ曲折される。その際、被押圧部１３は、その周囲に刻設された切り込み１２が蓋部材１１の中央部付近で不連続になっているため、押圧部２１によって押圧されて蓋部材１１の下面側へ曲折された後も蓋部材１１から離脱することはない。
【００２１】
図２は、図１に示すプルトップ式缶の開栓構造の断面図である。蓋部材１１の被押圧部１３には、ピン２３からプルタブ２０の押圧部２１の方向に向って下方へ傾斜した面を有するガイド部１４が形成されている。開栓の際には、プルタブ２０の押圧部２１をガイド面１４に当接させることにより、プルタブ２０の指引掛け部２２が押し上がり容易に指を引掛けることができる（図２（ｂ）参照）。
【００２２】
以上のように第１実施例に示すプルトップ式缶の開栓構造によれば、開栓操作の前段階としてプルタブ２０の押圧部２１に指先等を押し当てて下方へ傾斜したガイド面１４まで下げる（図２（ａ）に示す状態から図２（ｂ）に示す状態に移行させる）だけで、プルタブ２０の指引掛け部２２が押し上がるので、指を引掛け易くなり、指先や爪先を傷めることなく誰でも容易に開栓することができる。
【００２３】
次に、図３は、本考案の第２実施例にかかるプルトップ式缶の開栓構造を示す平面図である。プルトップ式缶３０は、蓋部材３１に不連続な略ループ状の切り込み３２によって蓋片が形成された被押圧部３３と、蓋部材３１に固定されるプルタブ４０とからなる。プルタブ４０は、押圧部４１と指引掛け部４２を備えて支点となるピン４３によって蓋部材３１に固定されている。切り込み３２によって囲まれた被押圧部３３は、蓋部材３１の中央部付近にピン４３によって固定されたプルタブ４０の指引掛け部４２が上方へ引き起こされることにより押圧部４１によって下方へと押圧され、これにより切り込み３２が破断して蓋部材３１の下面側へ曲折される。その際、被押圧部３３は、その周囲に刻設された切り込み３２が蓋部材３１の中央部付近で不連続になっているため、押圧部４１によって押圧されて蓋部材３１の下面側へ曲折された後も蓋部材３１から離脱することはない。
【００２４】
図４は、図３に示すプルトップ式缶の開栓構造の断面図である。図３及び図４に示すように、プルトップ式缶３０の上縁部３４には、切り込み部３５が形成されており、それに対応してプルタブ４０の指引掛け部４２の先端部が切り込み部３５まで延長して形成されている。
【００２５】
以上のように第２実施例に示すプルトップ式缶の開栓構造によれば、プルタブ４０の指引掛け部４２に指を引掛け易くなり、指先や爪先を傷めることなく誰でも容易に開栓することができる。
【図面の簡単な説明】
【００２６】
【図１】本考案の第１実施例にかかるプルトップ式缶の開栓構造を示す平面図である。
【図２】図１に示すプルトップ式缶の開栓構造の断面図である。
【図３】本考案の第２実施例にかかるプルトップ式缶の開栓構造を示す平面図である。
【図４】図３に示すプルトップ式缶の開栓構造の側面図である。
【符号の説明】
【００２７】
１０  プルトップ式缶
１１  蓋部材
１２  切り込み
１３  被押圧部
１４  ガイド部
２０  プルタブ
２１  押圧部
２２  指引掛け部
２３  ピン
３０  プルトップ式缶
３１  蓋部材
３２  切り込み
３３  被押圧部
３４  上縁部
３５  切り込み部
４０  プルタブ
４１  押圧部
４２  指引掛け部
４３  ピン
【図１】
0003137912.tif 000003
【図２】
0003137912.tif 000004
【図３】
0003137912.tif 000005
【図４】
0003137912.tif 000006